(57)【要約】【課題】微小液滴を吐出する微小液滴発生装置の駆動方法を提供する。【解決手段】微小液滴発生装置の駆動方法は、へルムホルツ共振周期を備えた圧力発生室２と、圧力発生室２を膨張、収縮させる圧電振動子１１を有し、ノズル開口６から微小液滴を吐出する微小液滴発生装置の駆動方法であって、圧力発生室２を膨張させてヘルムホルツ共振周波数の振動を誘起させ、ノズル開口６のメニスカスを液滴が吐出しない程度に振動させる膨張行程と、圧力発生室２を膨張状態に維持する第１の保持工程と、メニスカスの移動がノズル開口６側に反転した以降に第１の方向とは逆の方向に変化する信号を印加して、圧力発生室２の容積を膨張工程における容積変化分よりも小さい容積変化で収縮させる第１の収縮工程と、圧力発生室２の容積を一定に保持しメニスカスにヘルムホルツ共振振動を重畳させた状態を維持し、微小液滴を吐出させる第２の保持工程と、を含む。【選択図】図２
2009061011.tif 000002
【特許請求の範囲】
【請求項１】
周期Ｔｃのへルムホルツ共振周期を備えた圧力発生室と、該圧力発生室を膨張、収縮させる圧電振動子と、を有し、ノズル開口から微小液滴を吐出する微小液滴発生装置の駆動方法であって、
第１の方向に単調に変化する信号を印加して前記圧力発生室を膨張させてヘルムホルツ共振周波数の振動を誘起させ、前記ノズル開口のメニスカスを液滴が吐出しない程度に振動させる膨張工程と、
前記圧力発生室を膨張状態に維持する第１の保持工程と、
前記メニスカスの移動が前記ノズル開口側に反転した以降に前記第１の方向とは逆の方向に変化する信号を印加して、前記圧力発生室の容積を膨張工程における容積変化分よりも小さい容積変化で収縮させる第１の収縮工程と、
前記圧力発生室の容積を一定に保持し前記メニスカスに周期Ｔｃのヘルムホルツ共振振動を重畳させた状態を維持し、前記メニスカスの中立位置を前記ノズル開口の表面に近づけ、前記ノズル開口の直径よりも小径の微小液滴を吐出させる第２の保持工程と、
前記圧力発生室をさらに収縮させて元の状態に復帰させる第２の収縮工程と、
を含むことを特徴とする微小液滴発生装置の駆動方法。
【請求項２】
周期Ｔｃのへルムホルツ共振周期を備えた圧力発生室と、該圧力発生室を膨張、収縮させる圧電振動子と、を有し、ノズル開口から微小液滴を吐出する微小液滴発生装置の駆動方法であって、
前記圧力発生室を収縮させてヘルムホルツ共振周波数の振動を誘起させて前記ノズル開口のメニスカスを液滴が吐出しない程度に振動させる第１の収縮工程と、
収縮状態を保持する第１の保持工程と、
前記圧力発生室を膨張させて振動状態の前記メニスカスを引き込む膨張工程と、
前記圧力発生室の膨張状態を保持する第２の保持工程と、
前記メニスカスの移動が前記ノズル開口側に反転した以降に、前記圧力発生室の容積を膨張工程における容積変化分よりも小さい容積変化で収縮させる第２の収縮工程と、
前記圧力発生室の容積を一定に保持し前記メニスカスに周期Ｔｃのヘルムホルツ共振振動を重畳させた状態を維持し、前記メニスカスの中立位置を前記ノズル開口の表面に近づけ、前記ノズル開口の直径よりも小径の微小液滴を吐出させる第３の保持工程と、
前記圧力発生室をさらに収縮させて元の状態に復帰させる第３の収縮工程と、
を含むことを特徴とする微小液滴発生装置の駆動方法。
【請求項３】
請求項１または請求項２に記載の微小液滴発生装置の駆動方法において、
前記ヘルムホルツ共振振動の振幅を切り替えて前記メニスカスに重畳することを特徴とする微小液滴発生装置の駆動方法。
【請求項４】
液体を収容するカートリッジと、該カートリッジに連通し前記液体を微小液滴として吐出する請求項１ないし請求項３のいずれか一項に記載の微小液滴発生装置の駆動方法により駆動される微小液滴発生装置と、
該微小液滴発生装置の駆動を制御する制御手段と、
前記カートリッジと前記微小液滴発生装置と前記制御手段とを収納するケースと、
該ケースに穿設され前記微小液滴を流通する流路と、
該流路に連通し、前記微小液滴を排出する吸引口と、
が備えられていることを特徴とする吸引装置。
【発明の詳細な説明】
【技術分野】
【０００１】
本発明は、圧電振動子を使用した微小液滴発生装置の駆動方法と、微小液滴発生装置から吐出される微小液滴を吸引するための吸引装置の構造に関する。
【背景技術】
【０００２】
近年、ＱＯＬ（クオリティオブライフ）が望まれる中で、生体に傷をつけない注射に代わる投薬手段として、霧化経肺投与が期待されている。経肺投薬において治療域に到達可能な液滴の粒子径範囲は極めて狭く、空気力学径で１〜７μｍといわれている。従って、このような粒子径を実現することが望まれている。
従来、微小液滴を生成する手段としては、インクを微インク滴として生成し吐出する装置としてのインクジェット式記録ヘッドが知られている。また、インクジェット式記録ヘッドとしては、ノズル開口、及びインク供給口を介してリザーバに連通し周期Ｔｃのヘルムホルツ共振周期を備えた圧力発生室と、圧力発生室を膨張、収縮させる圧電振動子とからなるものが代表される。
【０００３】
このようなインクジェット式記録ヘッドの駆動方法は、図１３に示すように、第１の方向に単調に変化する第１信号Ｓ１１を印加して、インク滴吐出前に圧力発生室を膨張させてヘルムホルツ共振周波数の振動を誘起させノズル開口のメニスカスをインク滴を吐出しない程度に振動させる膨張工程と、第２信号Ｓ１２を印加して圧力発生室を膨張状態に維持する第１の保持工程と、前記メニスカスの移動がノズル開口側に反転した以後に第１の方向とは逆の方向に変化する第３信号Ｓ１３を印加して圧力発生室の容積を膨張工程における容積変化分よりも小さい容積変化で収縮させてノズル開口の直径よりも小径のインク滴を吐出させる第１の収縮工程と、第４信号Ｓ１４を印加して圧力発生室の容積を一定に保持する第２の保持工程と、からなる（例えば、特許文献１参照）。
【０００４】
また、インクジェット記録ヘッドを液体の吐出手段として用い、吐出された液体を加熱部にて加熱し微小液体粒子化（霧化ということがある）する霧化手段を備え、霧化された微小液体微粒子を咥え部で吸引する吸引装置というものが知られている（例えば、特許文献２参照）。
【０００５】
【特許文献１】特許第３５６９２８９号公報
【特許文献２】特開２００５−５８４２１号公報
【発明の開示】
【発明が解決しようとする課題】
【０００６】
このような特許文献１で開示されるインクジェット式記録ヘッドの駆動方法では、ノズル開口径よりも小さいインク滴を吐出させることが可能であるが、さらに小さいミスト状のインク滴を発生させるためには、ノズル開口径をより小さくすることが要求されるが、製造上困難である。また、第４信号Ｓ１４を印加した際に画像形成に必要なインク滴（主滴と呼称することがある）を吐出した後、さらに主滴よりも小さい副滴（サテライト、インクミストと呼称することがある）が発生する場合がある。上述した特許文献１では、第５信号を印加し、圧力発生室を収縮させて元の状態に復帰させる第２の収縮工程を設けることによりこれらの副滴の発生を抑制している。従って、ノズル開口径を変えずに主滴よりも小さい副滴を継続して発生させることは困難である。
【０００７】
さらに、ノズル開口の大きさ（直径）を変更せずに吐出する液滴の大きさ（粒子径または重量）を任意に調整することは困難である。
【０００８】
また、特許文献２で開示される吸引装置では、インクジェット記録ヘッドと同様な構造を有する吐出手段から吐出される液体をさらに霧化手段を用いて小さい微小液体粒子化する構成のため、構造が複雑になり、小型化が困難である。また、霧化手段として加熱部を有することから安全性を含め携帯型の吸引装置の実現は困難であると予測される。
【課題を解決するための手段】
【０００９】
本発明は、上述の課題の少なくとも一部を解決するためになされたものであり、以下の形態または適用例として実現することが可能である。
【００１０】
［適用例１］本適用例に係る微小液滴発生装置の駆動方法は、周期Ｔｃのへルムホルツ共振周期を備えた圧力発生室と、該圧力発生室を膨張、収縮させる圧電振動子と、を有し、ノズル開口から微小液滴を吐出する微小液滴発生装置の駆動方法であって、第１の方向に単調に変化する信号を印加して前記圧力発生室を膨張させてヘルムホルツ共振周波数の振動を誘起させ、前記ノズル開口のメニスカスを液滴が吐出しない程度に振動させる膨張工程と、前記圧力発生室を膨張状態に維持する第１の保持工程と、前記メニスカスの移動が前記ノズル開口側に反転した以降に前記第１の方向とは逆の方向に変化する信号を印加して、前記圧力発生室の容積を膨張工程における容積変化分よりも小さい容積変化で収縮させる第１の収縮工程と、前記圧力発生室の容積を一定に保持し前記メニスカスに周期Ｔｃのヘルムホルツ共振振動を重畳させた状態を維持し、前記メニスカスの中立位置を前記ノズル開口の表面に近づけ、前記ノズル開口の直径よりも小径の微小液滴を吐出させる第２の保持工程と、前記圧力発生室をさらに収縮させて元の状態に復帰させる第２の収縮工程と、を含むことを特徴とする。
【００１１】
このような駆動方法によれば、ノズル開口のメニスカスの振動を液滴が吐出可能な範囲にできるだけ小さくし、この状態を維持することにより、ノズル開口よりもはるかに小径の微小液滴を生成して吐出させることができる。
【００１２】
［適用例２］本適用例に係る微小液滴発生装置の駆動方法は、周期Ｔｃのへルムホルツ共振周期を備えた圧力発生室と、該圧力発生室を膨張、収縮させる圧電振動子と、を有し、ノズル開口から微小液滴を吐出する微小液滴発生装置の駆動方法であって、前記圧力発生室を収縮させてヘルムホルツ共振周波数の振動を誘起させて前記ノズル開口のメニスカスを液滴が吐出しない程度に振動させる第１の収縮工程と、収縮状態を保持する第１の保持工程と、前記圧力発生室を膨張させて振動状態の前記メニスカスを引き込む膨張工程と、前記圧力発生室の膨張状態を保持する第２の保持工程と、前記メニスカスの移動が前記ノズル開口側に反転した以降に、前記圧力発生室の容積を膨張工程における容積変化分よりも小さい容積変化で収縮させる第２の収縮工程と、前記圧力発生室の容積を一定に保持し前記メニスカスに周期Ｔｃのヘルムホルツ共振振動を重畳させた状態を維持し、前記メニスカスの中立位置を前記ノズル開口の表面に近づけ、前記ノズル開口の直径よりも小径の微小液滴を吐出させる第３の保持工程と、前記圧力発生室をさらに収縮させて元の状態に復帰させる第３の収縮工程と、を含むことを特徴とする。
【００１３】
このような駆動方法によれば、予め圧力発生室の容積を若干膨張させた状態を初期状態としているために、電圧の変化を低減した状態でメニスカスを振動させることにより液滴を吐出することができるので、液滴サイズを小さくでき、液滴吐出速度を高めることができる。
【００１４】
［適用例３］上記適用例に係る微小液滴発生装置の駆動方法は、前記ヘルムホルツ共振振動の振幅を切り替えて前記メニスカスに重畳することを特徴とする。
【００１５】
このような駆動方法によれば、ヘルムホルツ共振振動の振幅を調整し、ノズル開口のメニスカスの振動の振幅を変えることにより吐出される液滴の大きさを調整することができる。
【００１６】
［適用例４］本適用例に係る吸引装置は、液体を収容するカートリッジと、該カートリッジに連通し前記液体を微小液滴として吐出する適用例１ないし適用例３に記載の微小液滴発生装置の駆動方法により駆動される微小液滴発生装置と、該微小液滴発生装置の駆動を制御する制御手段と、前記カートリッジと前記微小液滴発生装置と前記制御手段とを収納するケースと、該ケースに穿設され前記微小液滴を流通する流路と、該流路に連通し、前記微小液滴を排出する吸引口と、が備えられていることを特徴とする。
【００１７】
このような構成によれば、カートリッジに収容された薬効成分、香味成分を含む液体（液状物を含む）を前述の微小液滴発生装置により微小液滴化する。従って、前述した従来技術のように、吐出手段により吐出した液状物をさらに霧化手段を用いて微小液滴化する構造に比べ、吐出手段と霧化手段の機能を有する微小液滴発生装置を備えているので構造が単純化されることから小型化が実現できる。また、霧化手段として加熱部を有しないことから安全性が高い携帯型の吸引装置を実現できる。
【発明を実施するための最良の形態】
【００１８】
以下、本発明の実施形態を図面に基づいて説明する。
図１〜図７は実施形態１に係る微小液滴発生装置、及び駆動方法、図８〜図１０は実施形態２に係る微小液滴発生装置の駆動方法、図１１，１２は微小液滴発生装置を備える吸引装置を示している。
なお、以下の説明で参照する図は、図示の便宜上、縦横の縮尺は実際のものとは異なる模式図である。
（実施形態１）
【００１９】
図１は、実施形態１に係る微小液滴発生装置の組立斜視図、図２は同微小液滴発生装置の構造を示す断面図である。図１，２において、微小液滴発生装置は、主たる構成要素として液体流路ユニット１と、圧力発生ユニット１０とから構成されている。
【００２０】
液体流路ユニット１は、圧力発生室２、リザーバ３、及び液体供給口４を形成するスペーサ５と、圧力発生室２に連通するノズル開口６を備えたノズルプレート７と、後述する圧電振動子の変位を受けて弾性変形する弾性板８とを、スペーサ５の表面となる側をノズルプレート７により、また裏面となる側を弾性板８により封止して構成されている。
【００２１】
圧力発生ユニット１０は、圧力発生室２の配列ピッチに合わせて配置され、弾性板８の面に対して垂直な方向に伸縮する圧電振動子１１を変位可能な状態で固定基板１２に固定して構成されている。
【００２２】
また、圧電振動子１１は、本実施形態では伸縮方向に平行に圧電材料１１ａと、異なる極となる導電材料１１ｂ,１１ｃと、を交互に積層して、充電状態では導電層の積層方向と直角な方向に収縮し、また電荷が放電された場合には導電層と直角な方向に伸長する、いわゆる縦振動モードの圧電振動子として構成されている。
【００２３】
そして、液体流路ユニット１をホルダ１３の上端１４に固定し、また圧力発生ユニット１０を圧電振動子１１の先端が各圧力発生室２に対向するように弾性板８に当接し、さらに固定基板１２をホルダ１３に固定して微小液滴発生装置を構成している。なお、通孔１６は、外部の液体容器に接続する液体供給流路１７とリザーバ３とを接続する貫通孔である。
【００２４】
このように構成された微小液滴発生装置は、圧電振動子１１に時間的に電圧が上昇する信号を印加すると、圧電振動子１１が充電されて時間とともに収縮する。この収縮により弾性板８がスペーサ５から離反するように弾性変形して圧力発生室２を膨張させる。圧力発生室２の膨張によりリザーバ３内に収容される液体が液体供給口４を経由して圧力発生室２に流入し、またノズル開口６に形成されていたメニスカスが圧力発生室２の内側に引き込まれる。そして、信号が所定のレベルに保持されると、メニスカスが自己の固有振動周期によりノズル開口６と圧力発生室２との間を往復するように振動する。
【００２５】
また、充電状態におかれている圧電振動子１１の電荷を放電させると、圧電振動子１１が時間的に伸長して弾性板８をスペーサ側に押し戻して圧力発生室２の容積を縮小させる。圧力発生室２の縮小により圧力発生室２の液体が加圧されるため、振動状態にあるメニスカスがノズル開口２側に押し戻される。
【００２６】
ところで、このように構成された微小液滴発生装置は、圧力発生室２の液体の圧縮性に起因する流体コンプライアンスをＣｉ、また圧力発生室２を形成している弾性板８、ノズルプレート７等の材料自体による剛性コンプライアンスをＣｖ、ノズル開口６のイナータンスをＭｎ、液体供給口４のイナータンスをＭＳとすると、圧力発生室２のヘルムホルツ共振振動の周波数ｆは次式で示される。
【００２７】
【数１】
2009061011.tif 000003
【００２８】
また、メニスカスのコンプライアンスをＣｎとすると、メニスカスの固有振動周期Ｔｍは次式で示される。
【００２９】
【数２】
2009061011.tif 000004
【００３０】
また、圧力発生室２の体積をＶ、液体の密度をρ、液体中での音速をｃとすると、流体コンプライアンスＣｉは次式で示される。
【００３１】
【数３】
2009061011.tif 000005
【００３２】
さらに圧力発生室２の剛性コンプライアンスＣｖは、圧力発生室２に単位圧力を印加したときの圧力発生室２の静的な変形率に一致する。このように構成された微小液滴発生装置は、その流体コンプライアンスＣｉが５×１０−２１ｍ5／Ｎ、剛性コンプライアンスＣｖが５×１０−２１ｍ5／Ｎ、ノズル開口６のイナータンスＭｎが１×１０８ｋｇ／ｍ4、液体供給口４のイナータンスＭＳが１×１０８ｋｇ／ｍ4の諸特性を有するように構成された場合には、圧電振動子１１の伸長、収縮によりメニスカスにヘルムホルツ共振振動が重畳されると、周期Ｔｃが４．４μｓ（２２５ｋＨｚ）のヘルムホルツ共振振動を生じる。
【００３３】
このような駆動特性を得るために、流路を構成するスペーサは、高い弾性率を有する単結晶シリコンをエッチングすることにより非常に微細で精密な流路が形成され、圧力発生室２の剛性コンプライアンスＣｖを低減でき、ヘルムホルツ共振振動の周期Ｔｃを容易に１０μｓ以下とすることができる。
【００３４】
また、吐出される液体重量が１０ｎｇ以下となるような微細な液滴の吐出を可能ならしめるためには、上述の特性を備えたスペーサだけではなく、応答性の非常に高い圧電振動子が必要となるが、上述のように構成された縦振動モードの圧電振動子１１は、印加された信号に応動して正確に変位するため、圧電振動子１１の固有振動周期よりも短い時間で圧力発生室２を膨張、収縮させることができる。
次にこのように構成した微小液滴発生装置からノズル開口径よりもはるかに小さい液滴を吐出させるための駆動方法について説明する。
【００３５】
図３は、微小液滴発生装置の駆動方法に使用する信号の一実施例を示す説明図である。また、図４は、図３に示す信号印加に伴うメニスカスの挙動を示す断面説明図である。図２、図３、図４を参照して説明する。継続時間Ｔ１１をかけて第１の方向に単調に変化する第１信号Ｓ１１を圧電振動子１１に印加して圧電振動子１１を収縮させると、弾性板８が圧力発生室２から離反する方向に弾性変形して圧力発生室２の容積が膨張する（膨張工程）。ノズル開口６の近傍に静止していたメニスカスＭ（図４（Ｉ）、参照）が、圧力発生室２の膨張による負圧によりノズル開口６の奥側に引き込まれ（図４（ＩＩ）、参照）、同時にリザーバ３内の液体が液体供給口４から圧力発生室２に流れ込む。
【００３６】
第１信号Ｓ１１による圧電振動子１１の充電が終了して、充電時の最高電圧を維持する第２信号Ｓ１２を印加すると、圧力発生室２は膨張を停止して一定容積を維持するため、前述の工程で圧力発生室２に蓄圧された液体の圧力が急速に解放される（第１の保持工程）。従って、ノズル開口６の内部に引き込まれたメニスカスは、周期Ｔｃでヘルムホルツ共振振動Ｈ１を開始し、ノズル開口６側に向かって移動する。すなわちメニスカスには周期Ｔｃのヘルムホルツ共振振動が励起される（図４（ＩＩＩ）、参照）。
【００３７】
メニスカスがヘルムホルツ共振振動している過程（継続時間Ｔ１２経過後）で、第３信号Ｓ１３を圧電振動子１１に印加して第１信号Ｓ１１により充電された電荷の一部を放電させると、圧電振動子１１が伸長して圧力発生室２の容積が時間とともに収縮する（第１の収縮工程）。なお、第３信号Ｓ１３は、メニスカスの移動がノズル開口６側に反転した以降に第１の方向とは逆の方向に変化する信号である。この収縮により第３信号Ｓ１３により周期Ｔｃのヘルムホルツ共振振動が重畳されたメニスカスは、メニスカスの振動の中立線Ｎ−Ｎをノズル開口６の出口に向かって押し出される。そしてメニスカスに重畳している周期Ｔｃのヘルムホルツ共振振動によるピークだけがノズル開口６よりも外側に突出し（図４（ＩＶ）、参照）、微小液滴Ｄがメニスカスから分離して吐出する（図４（Ｖ）、参照）。この微小液滴Ｄは圧電振動子１１により圧力発生室２を加圧し、その加圧力で直接ノズル開口６から液体を噴出させた液滴の液滴重量と比較して液滴重量が少ない（つまり、液滴の直径が小さい）。
【００３８】
そして、ヘルムホルツ共振振動と同位相の第４信号Ｓ１４を印加することで圧力発生室２の容積の収縮を一定に保持（第２の保持工程）しながらメニスカスの振動を励振する。第４信号Ｓ１４の電圧（Ｖ）は、メニスカスの頂部がノズル開口の表面から僅かに突出させる程度の値とする。すなわち、微小液滴Ｄを分離した後、メニスカスはノズル開口６の内部に引き込まれるが、メニスカスの表面張力やヘルムホルツ共振振動の周期Ｔｃのリンギング等により液体供給口４から圧力発生室２に液体が流れ込む。このため、たとえ圧電振動子１１が静止状態におかれている状態でも周期Ｔｃのヘルムホルツ共振振動が残留しているメニスカスは、再びノズル開口６に向かって移動し、重畳されているヘルムホルツ共振振動のピークを分離して微小な液滴を発生させることになる。従って、第４信号Ｓ１４の継続時間Ｔ１４の範囲で微小液滴の吐出が継続する。
【００３９】
継続時間Ｔ１４が経過した段階で、第４信号Ｓ１４により伸長動作が停止していた圧電振動子１１に第５信号Ｓ１５を印加して圧電振動子１１の残留電荷を再び放電させると、圧電振動子１１が伸長して圧力発生室２の容積が減少し、圧力発生室２に正圧が生じる（第２の収縮工程）。これにより周期Ｔｃのヘルムホルツ共振振動Ｈ２がノズル開口６の先端に向かって発振する（図４（ＶＩ）、参照）。
【００４０】
本実施形態では、第５信号Ｓ１５により液滴吐出後に、メニスカスに重畳されている周期Ｔｃのヘルムホルツ共振振動に対して、逆位相となるようにヘルムホルツ共振振動を発振させているため、周期Ｔｃのヘルムホルツ共振振動の残留振動分が制振される。
【００４１】
図５は、第２信号Ｓ１２の継続時間Ｔ１２と、吐出する液滴の重量との関係を示すグラフである。図５において、第２信号Ｓ１２の継続時間Ｔ１２をヘルムホルツ共振振動の周期Ｔｃの１／２以下の範囲で変化させると、吐出される液滴の重量（つまり、液滴の直径）を変化させることが可能であり、周期Ｔｃの１／２以上では、小重量でほぼ一定に保つことができることが判る。つまり、第２信号Ｓ１２の継続時間Ｔ１２の長さを調整することで液滴サイズを調整することができる。
次に、ヘルムホルツ共振振動の周期Ｔｃ残留振動を制振するための第５信号Ｓ１５の印加タイミングについて図面を参照して説明する。
【００４２】
図６は、液滴吐出開始後のメニスカスの変位をヘルムホルツ共振振動の周期Ｔｃを時間単位として表した説明図である。図６において、ピーク位置Ｐ1１，Ｐ1２，Ｐ1３はメニスカスに重畳している周期Ｔｃのヘルムホルツ共振振動が圧力発生室２からノズル開口６に向かうピークの位置を表している。
【００４３】
本実施形態においてはピーク位置Ｐ1１，Ｐ1２，Ｐ1３の発生時点にタイミングを合わせてヘルムホルツ共振振動の周期Ｔｃの整数倍時間を継続する第４信号Ｓ１４の継続時間Ｔ１４を調整して印加している。第４信号Ｓ１４は、第３信号Ｓ１３と同位相になるようにヘルムホルツ共振振動を発振させているため、液滴を吐出させるべく有用に作用したヘルムホルツ共振振動の残留振動分が励振される。これにより、圧力発生室２が収縮してメニスカスが圧力発生室２からノズル開口６へ押し戻される方向のヘルムホルツ共振振動が継続する。この際、メニスカスのピーク位置Ｐ1１，Ｐ1２，Ｐ1３をノズル開口６より外側に突出させることにより、微小液滴Ｄ（図４、参照）として吐出される。
【００４４】
また、第４信号Ｓ１４の後にメニスカスのピーク発生時点にタイミングを合わせてヘルムホルツ共振振動の周期Ｔｃより短い継続時間Ｔ１５を有する第５信号Ｓ１５を印加している。これにより互いのヘルムホルツ共振振動が打ち消し合って振幅のピーク位置が、第４信号Ｓ１４印加によるピーク位置Ｐ1１，Ｐ1２，Ｐ1３よりも圧力発生室側に位置するため液滴は吐出されない。
【００４５】
続いて、ヘルムホルツ共振振動の振幅と液滴の大きさについて説明する。
図７は、周期Ｔｃのヘルムホルツ共振振動の波形を模式的に示す説明図である。メニスカスの固有振動にヘルムホルツ共振振動を重畳させると、メニスカスの振幅もヘルムホルツ共振振動の振幅に応動して変化する。このメニスカスの振幅が大きい場合（図中、波形Ｂで表す）には吐出される液滴のサイズが大きくなり、振幅が小さい場合（図中、波形Ｃで表す）には液滴が小さくなることが確認されている。波形Ａは標準振幅の場合を表している。
【００４６】
以上説明したような動作は、大略次のようにして行わせることができる。
第１信号Ｓ１１の継続時間Ｔ１１をヘルムホルツ共振振動の周期Ｔｃよりも短く、圧電振動子１１の固有振動周期よりも短く設定することで圧電振動子１１に急速な収縮を生じさて圧力発生室２を急激に膨張させ、これによりメニスカスをノズル開口６から圧力発生室２に急速に引き込み、メニスカスに周期Ｔｃのヘルムホルツ共振振動を重畳させる。
【００４７】
そして第３信号Ｓ１３を印加して圧力発生室２を収縮させることにより、メニスカスの周期Ｔｃのヘルムホルツ共振振動をアシストさせて液滴を吐出させる。なお、圧力発生室２の収縮による容積変化は、前述した膨張による容積変化分より小さい。この際、第２信号Ｓ１２をヘルムホルツ共振振動の周期Ｔｃの１／２以下に設定すると、第１信号Ｓ１１による圧力発生室２の膨張量を少なく直径１０μｍ以下の微小な液滴を発生させることができる。
【００４８】
また、第２信号Ｓ１２をヘルムホルツ共振振動の周期Ｔｃの１／２以下の範囲で変更すると、吐出する液滴の重量が調整でき、周期Ｔｃの１／２以上にすれば小重量（微小径）でほぼ一定の液滴を継続して吐出することができる。
また、第３信号Ｓ１３は第１信号Ｓ１１で励振されたヘルムホルツ共振振動を無用に増幅させないように、その継続時間Ｔ１３はヘルムホルツ共振振動の周期Ｔｃと実質的に同一の値に設定されている。
【００４９】
また、ピーク位置Ｐ1１，Ｐ1２，Ｐ1３の発生時点にタイミングを合わせてヘルムホルツ共振振動の周期Ｔｃの整数倍時間を継続する第４信号Ｓ１４の継続時間Ｔ１４を印加している。これにより、圧力発生室２が収縮してメニスカスが圧力発生室２からノズル開口６へ押し戻される方向のヘルムホルツ共振振動が継続する。この際、メニスカスのピーク位置Ｐ1１，Ｐ1２，Ｐ1３がノズル開口６より外側に突出させることにより、微小液滴Ｄ（図４、参照）が継続して吐出される。
【００５０】
また、第５信号Ｓ１５はメニスカスに誘起されている周期Ｔｃのヘルムホルツ共振振動と逆位相にヘルムホルツ共振振動を発振させるためのものであるから、その継続時間Ｔ１５はヘルムホルツ共振振動の周期Ｔｃより短く、具体的には第１信号Ｓ１１の継続時間Ｔ１１に一致させるのが望ましく、これにより第１信号Ｓ１１による周期Ｔｃのヘルムホルツ共振振動とほとんど同じヘルムホルツ共振振動を誘起させて、制振作用を著しく高めることができる。
【００５１】
上述したように、第１信号Ｓ１１から第４信号Ｓ１４の印加を１サイクルとして所望のサイクル数を繰り返すことにより微小液滴を継続してノズル開口部の直径よりも小さく、しかも前述した従来技術の副滴（サテライト）よりもさらに小さいミスト状の微小液滴を吐出させることができる。
【００５２】
また、ヘルムホルツ共振振動の振幅を調整し、ノズル開口のメニスカスの振動の振幅を変えることにより吐出される液滴の大きさを調整することができる。
（実施形態２）
【００５３】
続いて実施形態２について図面を参照して説明する。実施形態２は、微小液滴発生装置の停止時において圧電振動子を若干収縮させた状態、つまり圧力発生室が予め若干膨張している状態におかれていることを特徴としている。
【００５４】
図８は、実施形態２に係る駆動方法に使用する信号の一実施例を示す説明図である。また、図９は、図８に示す信号印加に伴うメニスカスの挙動を示す断面説明図である。図２、図８、図９を参照して説明する。微小液滴発生装置を停止しているときに、圧電振動子１１が若干収縮しており、圧力発生室２は若干膨張した状態にある。メニスカスがノズル開口６内側に引き込まれた状態（図９（Ｉ）、参照）から第１信号Ｓ４１を印加して放電させると、収縮状態におかれている圧電振動子１１が伸長して、圧力発生室２の容積を実質的に収縮させて圧力発生室２を加圧し（第１の収縮工程）、メニスカスがノズル開口６から液滴を吐出しない程度に盛り上がる（図９（ＩＩ）、参照）。第１信号Ｓ４１の電圧変化が大きいとメニスカスが大きく押し出されて液滴を発生させることになるので、第１信号Ｓ４１の電圧は液滴を吐出させない程度に設定されている。
【００５５】
第１信号Ｓ４１で若干ノズル開口面より外に押し出されたメニスカスは周期Ｔｃのヘルムホルツ共振振動Ｈ１’が誘起され、以降、第２信号Ｓ４２の印加中（第１の保持工程）において大きく減衰することなく持続する。
【００５６】
この状態で第３信号Ｓ４３を印加して圧電振動子１１を急激に収縮させると、圧力発生室２の容積が膨張して圧力発生室２に負圧が生じる（膨張工程）。この急激な引き込みによりメニスカスには大きな振幅の周期Ｔｃのヘルムホルツ共振振動Ｈ１が誘起されてノズル開口６の内部に大きく引き込まれる（図９（ＩＩＩ）、参照）。
【００５７】
第３信号Ｓ４３は、メニスカスに重畳されている周期Ｔｃのヘルムホルツ共振振動がノズル開口６から圧力発生室２に向かう時点、つまり第１信号Ｓ４１の印加時点から第２信号Ｓ４２の印加が終了するまでの継続時間Ｔ４２が、ヘルムホルツ共振振動の周期Ｔｃ分の１／２となる時点を選択して印加すると、第１信号Ｓ４１により誘起された振動エネルギを利用できて、第３信号Ｓ４３は、電圧差が比較的小さく設定されてもメニスカスをノズル開口６の内部に大きく引き込むことができる。継続時間Ｔ４３経過後、第４信号Ｓ４４を印加して圧力発生室２の膨張状態を保持する（第２の保持工程）。
【００５８】
このようにして第１信号Ｓ４１および第３信号Ｓ４３によりメニスカスに生じていた周期Ｔｃのヘルムホルツ共振振動が、継続時間Ｔ４４経過してノズル開口６の出口に向かう時点で、第５信号Ｓ４５を印加する。第５信号Ｓ４５は第１信号Ｓ４１と同様に圧力発生室２を収縮させ（第２の収縮工程）、メニスカスをノズル開口６から押し出す向きに作用して振動の中立線Ｎをノズル開口６側に押し上げる。この際、メニスカス上に誘起されている周期Ｔｃのヘルムホルツ共振振動を無用に増幅しないために第５信号Ｓ４５の継続時間Ｔ４５は、ヘルムホルツ共振振動の周期Ｔｃ以上、望ましくは周期Ｔｃと実質的に同一の値に設定される。なお、第５信号Ｓ４５による圧力発生室２の容積変化は、前述した第３信号Ｓ４３による膨張の容積変化量より小さい。
【００５９】
第５信号Ｓ４５が印加されてメニスカス振動の中立線Ｎが押し上げられると、メニスカスに重畳しているヘルムホルツ共振振動Ｈ１がノズル開口６から突出する（図９（ＩＶ）、参照）。この状態ではメニスカスは、ヘルムホルツ共振振動が重畳されている分だけ、その変位速度は第１信号Ｓ４１によるメニスカスの変位速度よりも大きいため、ノズル開口６から盛り上がったメニスカスのピークだけが分離して微小液滴Ｄとなり吐出する（図９（Ｖ）、参照）。
【００６０】
続いて、ヘルムホルツ共振振動と同位相の第６信号Ｓ４６を印加することで圧力発生室２の容積の収縮を一定に保持（第３の保持工程）しながらメニスカスの振動を励振する。第６信号Ｓ４６の電圧（Ｖ）は、メニスカスの頂部がノズル開口の表面から僅かに突出させる程度の値とする。すなわち、微小液滴Ｄを分離した後、メニスカスはノズル開口６の内部に引き込まれるが、メニスカスの表面張力やヘルムホルツ共振振動の周期Ｔｃのリンギング等により液体供給口４から圧力発生室２に液体が流れ込む。このため、たとえ圧電振動子１１が静止状態におかれている状態でも周期Ｔｃのヘルムホルツ共振振動が残留しているメニスカスは、再びノズル開口６に向かって移動し、重畳されているヘルムホルツ共振振動のピークを分離して微小な液滴を発生させることになる。
【００６１】
継続時間Ｔ４６が経過した段階で、第６信号Ｓ４６により伸長動作が停止していた圧電振動子１１に第７信号Ｓ４７を印加して圧電振動子１１の残留電荷を再び放電させると、圧電振動子１１が伸長して圧力発生室２の容積が減少し（第３の収縮工程）、圧力発生室２に正圧が生じメニスカスの振動が制振される（図９（ＶＩ）、参照）。
【００６２】
本実施形態では、第７信号Ｓ４７により液滴吐出後に、メニスカスに重畳されている周期Ｔｃのヘルムホルツ共振振動に対して、逆位相となるようにヘルムホルツ共振振動を発振させているため、周期Ｔｃのヘルムホルツ共振振動の残留振動分が制振される。
【００６３】
このようにメニスカスの一部を分離させて、微小な液滴を吐出させるためには、メニスカスに重畳している周期Ｔｃのヘルムホルツ共振振動がノズル開口６の出口に向かう時点で第５信号Ｓ４５を印加するのが望ましい。
【００６４】
図１０は、メニスカスの変位をヘルムホルツ共振振動の周期Ｔｃを時間単位として表した説明図であり、図１０（ａ）は、第１信号Ｓ４１を印加したまま放置したときのメニスカスの変位を第１信号Ｓ４１の印加時点からの時間を周期Ｔｃを時間基準として示すものであって、第１信号Ｓ４１によりメニスカスは振動の中立線をノズル開口６の面よりもさらに外側に押し上げられた位置Ｎ１で周期Ｔｃのヘルムホルツ共振振動を行っている。この場合、その変位速度（勾配α）が小さいため、メニスカスから液滴が分離されることはない。
【００６５】
図１０（ｂ）は第１信号Ｓ４１の印加後に第３信号Ｓ４３を印加した場合のメニスカス変位を示すものであって、第３信号Ｓ４３の印加により圧力発生室２が膨張することで振動の中立線が位置Ｎ１から圧力発生室側の位置Ｎ２に移動する。
【００６６】
図１０（ｃ）は第１信号Ｓ４１から第５信号Ｓ４５まで印加した後、第６信号Ｓ４６を印加した場合のメニスカスの変位を示すもので、第６信号Ｓ４６により振動の中立線が位置Ｎ２から移動して、ノズル開口面（図中横軸）にほぼ一致する位置に押し上げられた状態で保持される。このとき第３信号Ｓ４３によりメニスカスに誘起された周期Ｔｃのヘルムホルツ共振振動のピークＰ2１，Ｐ2２，Ｐ2３がノズル開口面から外側（図中、上方）に盛り上がる。そして第３信号Ｓ４３により押し上げられたメニスカスには周期Ｔｃのヘルムホルツ共振振動が重畳しているため、その変位速度（勾配β）が十分大きくなっている。したがってメニスカス振動のピークがメニスカスから分離して微小液滴Ｄとなり吐出される。
【００６７】
そして第７信号Ｓ４７を印加することにより、メニスカスは反転してノズル開口面から圧力発生室２に移動する。ノズル開口面より引き込まれたメニスカスはノズル開口面から内側に中立線を移して振動するが、メニスカスは自身の表面張力により十分な時間経過後にノズル開口面の近傍に復帰する。
【００６８】
本実施形態では、第１信号Ｓ４１で中立線Ｎをノズル開口面から外の位置Ｎ１に押し上げてから、第３信号Ｓ４３により中立線Ｎを引き込むため、ノズル開口面からの引き込み量Ｌ１が、従来の駆動方法におけるノズル開口面からの引き込み量よりも少なくなり、液滴を吐出させるメニスカスの押し上げ量も少なくて済むため、液滴サイズを小さくすることができる。
【００６９】
また、第１信号Ｓ４１でメニスカスを振動させ、メニスカスの振動がノズル開口６の内部に向かう時点で、第３信号Ｓ４３を印加するため、第１信号Ｓ４１の振動エネルギを有効に利用できて、メニスカス静止状態からメニスカスを引き込む従来の駆動方法と比較して、第３信号の電圧を低減した状態で液滴を吐出することできるため、やはり液滴サイズを小さくすることができる。且つ、液滴吐出速度を高めることができる。
【００７０】
なお、上述の実施形態１，２においては縦振動モードの圧電振動子を使用しているが、圧電材料のスパッタリング等により弾性板に形成した膜状の圧電振動子や単板の圧電振動板を貼り付けた構造のアクチュエータを用いても、静電容量が小さいため２μＳ程度の時間で圧力発生室を膨張させて液滴吐出のために必要なヘルムホルツ共振振動を発生させることができる。
（吸引装置）
【００７１】
続いて、前述した駆動方法により駆動される微小液滴発生装置を用いた吸引装置について図面を参照して説明する。この微小液滴発生装置は、香味や薬剤等の成分を含む液体（液状物と表すことがある）をミスト等の微小液滴として発生させ（霧化と表すことがある）、吸引して生体内に取り込む装置である。
図１１は、吸引装置の一例を示す概要図、図１２は構成を模式的に示す断面構成図である。なお、説明の都合上、図中左側を先端、右側を基端として説明する。図１１，１２に示すように、吸引装置１００は、全体形状が棒状をなす装置本体１０１と、生体が吸引して取り入れるべき所定の成分を含む液体が収納されるカートリッジ１２１とから構成されている。
【００７２】
装置本体１０１は、ケース１０２と、ケース１０２内に液体を微小液滴化する微小液滴発生装置１１８と、微小液滴発生装置１１８の駆動を制御する制御手段１２７とを備えている。
【００７３】
ケース１０２の基端部には咥え部１０７が設けられており、この咥え部１０７の中心部には、空気や、空気と所定の成分を含む微小液滴の混合気を流通させるための流路１０３が長手方向に沿って設けられている。流路１０３は、横断面が円形状をなし、その一方の端部は咥え部１０７の基端側に開口され、空気と所定の成分を含む微小液滴の混合気を口内に吸引するための吸引口１０４に連通している。
【００７４】
流路１０３の途中には、先端に向かって順次拡径するテーパ面１０５が形成されている。このテーパ面１０５よりさらに先端側には、ケース１０２を径方向に貫通する空気取り込み口１０６が設けられ、この空気取り込み口１０６を介して流路１０３が外部に開放されている。空気取り込み口１０６の数は、図中一つであるが、複数であってもよい。咥え部１０７を口に咥えて息を吸い込むと、空気取り込み口１０６を介して流路１０３内に空気が取り込まれ、この空気は流路１０３内を吸引口１０４に向かって流通し口内に流入する。
【００７５】
流路１０３の長手方向の略中央部に対応する位置には微小液滴発生装置１１８が設けられている。微小液滴発生装置１１８は、前述した実施形態１，２と同型のものであり、その構成及び駆動方法の説明は省略するが、ノズル開口６（図２、参照）が流路１０３に面するように配置されている。そして液体供給流路（図示を省略するが、図１の液体供給流路１７に相当）が供給管１３３に接続されカートリッジ１２１内に連通されている。微小液滴発生装置１１８を駆動することによって、カートリッジ１２１から液状物が微小液滴化され、流路１０３内を流通する空気との混合気として吸引口１０４から口内に吸引される。
【００７６】
供給管１３３は、ケース１０２の長手方向に沿って延在され、被穿刺部２１１に接続されている。被穿刺部２１１は、中空の鋭利な端部３３１をカートリッジ１２１に向かって突設してケース１０２に固定されている。この鋭利な端部３３１をカートリッジ１２１に刺挿することによりカートリッジ１２１と供給管１３３（液体供給流路１７）が連通される。
【００７７】
ケース１０２には、カートリッジ１２１から先端方向に電源１２６、制御手段１２７が収納されている。また、微小液滴発生装置１１８と電源１２６及び制御手段１２７それぞれは図示しないリード線により電気的に接続されている。
【００７８】
また、空気取り込み口１０６と微小液滴発生装置１１８との間には風量センサ１１９が設けられており、吸引口１０４より混合気を吸引した際に流路１０３を流通する混合気の流量を検出する。この検出値により微小液滴の発生量を調整することが可能である。具体的には、強く吸引したときには微小液滴の発生量を多くし、吸引力が弱い場合には発生量を抑制する。吸引しないときには微小液滴発生装置１１８を駆動せずに微小液滴の発生を停止する。これらは、風量センサ１１９の検出値に対応して制御手段１２７でコントロールすることでなし得る。
【００７９】
なお、カートリッジ１２１内に収容される液体としては、生体が取り入れることが可能な所定の成分を含むものであれば特に限定されず、例えば、溶液、分散液、乳化液等が挙げられる。また、所定の成分としては、例えば、薬効成分、香味成分等が挙げられる。薬効成分と香味成分との両方を含んでいてもよい。
【００８０】
香味成分を含む液状物（香味生成媒体）は、それを液滴として吐出することにより香味を生成することができる媒体であり、用途に応じて適宜選択される。この香味生成媒体には、例えば、種々の天然物からの抽出物質や、それらの構成成分の所定のものが含まれる。香味生成媒体が含有する香味物質としては、例えば電子タバコ（擬似喫煙具）として応用する場合であれば、メンソール、カフェイン、タバコ抽出成分やタバコ煙擬宿物成分等を用いることができる。この場合、香味生成媒体を無害化することが好ましく、有害成分は取り除かれることが好ましい。
【００８１】
また、薬効成分を含む液状物を調製するには、所定の薬剤を生体に無害な油、水、アルコール等に溶解または分散させる。これにより、溶液（薬液）、分散液、乳化液等が得られる。
なお、微小液滴発生装置１１８を他の用途に用いる場合、液状物質としては、前述した生体が取り入れる所定の成分を含むものには限定されない。
また、本実施形態では吸引装置１００は全体形状が棒状の場合を例示したが、この形状も限定されるものではなく、使用形態に対応する形状とすることができる。
【００８２】
上述した吸引装置によれば、カートリッジ１２１に収容された薬効成分、香味成分を含む液状物を微小液滴発生装置１１８により微小液滴化する。従って、前述した従来技術のように、吐出手段により吐出した液状物をさらに霧化手段を用いて微小液体粒子化する構造に比べ、吐出手段と霧化手段の機能を有する微小液滴発生装置を備えており構造が単純化されることから小型化が実現できる。また、霧化手段として加熱部を有しないことから安全性を含め携帯型の吸引装置を実現できる。
【００８３】
さらに、本発明の吸引装置は、前述した微小液滴発生装置を採用することにより、液滴の微小液滴化、及び定量コントロールができるために、薬液等には有用な装置である。
【図面の簡単な説明】
【００８４】
【図１】実施形態１に係る微小液滴発生装置の組立斜視図。
【図２】実施形態１に係る微小液滴発生装置の構造を示す断面図。
【図３】実施形態１に係る微小液滴発生装置の駆動方法に使用する信号の一実施例を示す説明図。
【図４】図３に示す信号印加に伴うメニスカスの挙動を示す断面説明図。
【図５】第２信号Ｓ１２の継続時間Ｔ１２と、吐出する液滴の重量との関係を示すグラフ。
【図６】実施形態１に係る液滴吐出後のメニスカスの変位をヘルムホルツ共振振動の周期Ｔｃを時間単位として表した説明図。
【図７】周期Ｔｃのヘルムホルツ共振振動の波形を模式的に示す説明図。
【図８】実施形態２に係る駆動方法に使用する信号の一実施例を示す説明図。
【図９】図８に示す信号印加に伴うメニスカスの挙動を示す断面説明図。
【図１０】実施形態２に係るメニスカスの変位をヘルムホルツ共振振動の周期Ｔｃを時間単位として表した説明図であり、（ａ）は、第１信号Ｓ４１を印加したまま放置したときのメニスカスの変位を第１信号Ｓ４１の印加時点からの時間を周期Ｔｃを時間基準として示し、（ｂ）は第１信号Ｓ４１の印加後に第３信号Ｓ４３を印加した場合のメニスカス変位を示し、（ｃ）は第１信号Ｓ４１から第５信号Ｓ４５まで印加した後、第６信号Ｓ４６を印加した場合のメニスカスの変位を示す説明図。
【図１１】吸引装置の一例を示す概要図。
【図１２】吸引装置の構成を模式的に示す断面構成図。
【図１３】従来技術に係るインクジェット式記録ヘッドの駆動方法を示す説明図。
【符号の説明】
【００８５】
１…液体流路ユニット、２…圧力発生室、６…ノズル開口、１０…圧力発生ユニット、１１…圧電振動子。
【図１】
2009061011.tif 000006
【図２】
2009061011.tif 000007
【図３】
2009061011.tif 000008
【図４】
2009061011.tif 000009
【図５】
2009061011.tif 000010
【図６】
2009061011.tif 000011
【図７】
2009061011.tif 000012
【図８】
2009061011.tif 000013
【図９】
2009061011.tif 000014
【図１０】
2009061011.tif 000015
【図１１】
2009061011.tif 000016
【図１２】
2009061011.tif 000017
【図１３】
2009061011.tif 000018